(57)【要約】【課題】可動体を回動可能に支持するヒンジ部への異物の侵入を抑制することができる回動ユニットおよび便器装置を提供する。【解決手段】回動ユニット９は、便器装置１００の前部に設けられた便鉢部１１の上方を覆い、後部に配設された便蓋ヒンジ部および便座ヒンジ部によって回動可能に支持される便蓋４および便座５を備える。回動ユニット９は、可動体である便蓋４および便座５の後方に、ヒンジ部である便蓋ヒンジ部および便座ヒンジ部の上方を覆うカバー３が設けられている。【選択図】図２
2019177002.tif 000002
【特許請求の範囲】
【請求項１】
便器本体の前部に設けられた便鉢部の上方を覆い、後部に配設されたヒンジ部によって回動可能に支持される可動体を備える回動ユニットであって、
前記可動体の後方に、前記ヒンジ部の上方を覆うカバーが設けられていることを特徴とする回動ユニット。
【請求項２】
前記カバーは、前記ヒンジ部の側方を覆うことを特徴とする請求項１に記載の回動ユニット。
【請求項３】
前記カバーは、着脱可能に設けられていることを特徴とする請求項１または２に記載の回動ユニット。
【請求項４】
前記可動体は、前記ヒンジ部に連結されるアーム部を有することを特徴とする請求項１から３のいずれか１項に記載の回動ユニット。
【請求項５】
前記アーム部は、中途部において屈曲または湾曲していることを特徴とする請求項４に記載の回動ユニット。
【請求項６】
前記可動体は、前記ヒンジ部において着脱可能としてあることを特徴とする請求項１から５のいずれか１項に記載の回動ユニット。
【請求項７】
前記可動体は、便蓋または便座であることを特徴とする請求項１から６のいずれか１項に記載の回動ユニット。
【請求項８】
請求項１から７のいずれか１項に記載の回動ユニットと、
便鉢部が前部に設けられた便器本体と、
を備えることを特徴とする便器装置。
【発明の詳細な説明】
【技術分野】
【０００１】
本発明は、回動ユニットおよび便器装置に関する。
【背景技術】
【０００２】
便器装置に備え付けられる多くの便座および便蓋は、便鉢部の上部開口を囲むリム部に載せられ、便器装置の後部において左右方向を軸方向とするヒンジ軸を備えるヒンジ部によって回動可能に支持されている。便器装置は、手動または電動で便座および便蓋を回動させることによって開閉させて使用される。
【０００３】
例えば、特許文献１には、便座および便蓋の少なくともいずれかの一端および他端を支持する各ヒンジ軸において、便座および便蓋の開放方向へ付勢する第１および第２の付勢手段を備える便器装置が開示されている。
【先行技術文献】
【特許文献】
【０００４】
【特許文献１】特開２０１０−２０１０８３号公報
【発明の概要】
【発明が解決しようとする課題】
【０００５】
ところで、便器装置は、便座および便蓋等の可動体を回動可能に支持するヒンジ部に埃や水等の異物が付着すると、便座および便蓋が開閉し難くなり、更には美観も損なわれてしまう。特許文献１に記載の便座および便蓋のヒンジ部は、上方および左右方向から埃や水等の異物が浸入して堆積してしまうという問題点があった。
【０００６】
本発明は、斯かる事情に鑑みてなされたものであり、その目的とするところは、可動体を回動可能に支持するヒンジ部への異物の侵入を抑制することができる回動ユニットおよび便器装置を提供することにある。
【課題を解決するための手段】
【０００７】
本発明に係る回動ユニットは、便器本体の前部に設けられた便鉢部の上方を覆い、後部に配設されたヒンジ部によって回動可能に支持される可動体を備える回動ユニットであって、前記可動体の後方に、前記ヒンジ部の上方を覆うカバーが設けられていることを特徴とする。
【発明の効果】
【０００８】
本発明によれば、回動ユニットは、可動体を回動可能に支持するヒンジ部への異物の侵入を抑制することができる。
【図面の簡単な説明】
【０００９】
【図１】実施形態に係る回動ユニットを有する便器装置の外観を示す斜視図である。
【図２】便蓋および便座を開状態とした便器装置の外観を示す斜視図である。
【図３】カバー、便蓋および便座を取り外した便器装置の外観を示す斜視図である。
【図４】カバー、便蓋および便座を取り外した便器装置の平面図である。
【図５】便蓋の下方から見た斜視図である。
【図６】図４に示すＡ−Ａ線による便蓋およびケーシングの断面図である。
【図７】便座の外観を示す斜視図である。
【図８】図４に示すＢ−Ｂ線による便座およびケーシングの断面図である。
【図９】図９（ａ）および図９（ｂ）は、便蓋の開閉状態について説明するための模式図である。
【図１０】図１０（ａ）および図１０（ｂ）は、便座の開閉状態について説明するための模式図である。
【発明を実施するための形態】
【００１０】
以下、本発明を好適な実施の形態をもとに図１から図１０を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
図１は実施形態に係る回動ユニット９を有する便器装置１００の外観を示す斜視図であり、図２は便蓋４および便座５を開状態とした便器装置１００の外観を示す斜視図である。便器装置１００は、便器本体１、ケーシング２、カバー３、便蓋４および便座５等を備える。回動ユニット９は、カバー３、可動体としての便蓋４および便座５、並びに後述する便蓋ヒンジ部２１および便座ヒンジ部２２を含んで構成されている。回動ユニット９は、便蓋４および便座５の両方と各ヒンジ部とを備えていてもよいし、便蓋４または便座５の一方と該一方に対応するヒンジ部とを備えていてもよい。便器本体１は、前端Ｆ側に便鉢部１１、便鉢部１１後方の後部に部品配置部１２を有する。以下の説明において、便器装置１００について左右方向は、便器装置１００の前後方向に対して直交する水平方向であり、左および右は、前端Ｆ側から便器装置１００を見て定義されているものとする。
【００１２】
便鉢部１１は、汚物を受けるための鉢状の受け面１１ａ、および受け面１１ａの上部開口の周囲に形成されたリム部１１ｂを有し、リム部１１ｂに便座５が載せ置かれる。受け面１１ａには、例えば、前端Ｆから見て左上部の後方から前方へ向けて洗浄水が吐出される。受け面１１ａに吐出された洗浄水は、受け面１１ａに沿って一方向に旋回しつつ下方へ流下して受け面１１ａを洗い流し、受け面１１ａの底に接続される排水路（図示略）から汚物とともに排出される。
【００１３】
部品配置部１２は、上端部１２ａの高さが便鉢部１１のリム部１１ｂとほぼ同じであり、上端部１２ａにはケーシング２が載せ置かれる。ケーシング２には、不図示の複数の機能部品が収容される。機能部品には、例えば、便器洗浄装置や、洗浄水供給装置、着座者の局部を洗浄する局部洗浄装置、便座５を暖める便座暖房装置、便鉢部１１内へ温風を送出する送風装置、および洗浄泡供給装置等が含まれる。
【００１４】
カバー３は、天板３ａおよび側板３ｂを備え、ケーシング２の上方および上部の側面を覆う。カバー３は、ケーシング２に対して着脱可能である。天板３ａは、後方側の角が丸みを帯びた平面視矩形状をなす。側板３ｂは、天板３ａの側辺から下方に延びるように、天板３ａの左右および後部に形成されている。天板３ａの前端辺３ｃは、左右方向に延びる直線状となっている。
【００１５】
図３は、カバー３、便蓋４および便座５を取り外した便器装置１００の外観を示す斜視図であり、図４は、カバー３、便蓋４および便座５を取り外した便器装置１００の平面図である。ケーシング２は、箱状または皿状等をなし、上述のような機能部品を収容して構成されている。ケーシング２は、前後方向の幅が便器本体１の後端部から便鉢部１１の後縁部付近に亘っており、左右方向の幅が便器本体１の左右方向の全幅に亘っている。ケーシング２は、周縁部２ａで部品配置部１２の上端部１２ａに載せ置かれる。ケーシング２の前部の左右それぞれに、便蓋ヒンジ部２１および便座ヒンジ部２２が設けられている。
【００１６】
便蓋ヒンジ部２１は、凹所２１ａおよびヒンジ軸２１ｂを有し、ケーシング２の左右の側辺部分に設けられている。凹所２１ａは、平面視で前後方向に長い矩形状をなし、ケーシング２の上面を穿つようにして設けられている。凹所２１ａは、前方が切り欠かれており、後述する便蓋４のアーム部４１が回動して通過する空間を形成している。図４に示す凹所２１ａの左右方向の外側には側壁部２１ｃが存在しているが、側壁部２１ｃは切除されていてもよい。
【００１７】
ヒンジ軸２１ｂは、左右方向を軸方向とする円柱状の軸体であり、凹所２１ａに突出するように設けられている。左右の便蓋ヒンジ部２１における各ヒンジ軸２１ｂは互いに同軸となるように設けられている。また、ヒンジ軸２１ｂは、高さ方向において、ケーシング２の上面に近く、該上面のやや下に設けられている。ヒンジ軸２１ｂと側壁部２１ｃとの間には隙間が設けられており、該隙間に便蓋４のアーム部４１が挿入されるようにして組み付けられる。
【００１８】
便座ヒンジ部２２は、支持部２２ａ、ヒンジ軸受２２ｂおよび凹所２２ｃを有し、ケーシング２の左右の側辺部分における便蓋ヒンジ部２１の更に前側に設けられている。支持部２２ａは、ケーシング２の前側の端面２ｂから前方へ延びる壁体状に設けられており、後方側および下方側がケーシング２に固定されている。
【００１９】
ヒンジ軸受２２ｂは、左右方向を中心軸方向とする円筒状であり、支持部２２ａの前部の上端部において内方向に延びるように設けられている。ヒンジ軸受２２ｂは、周側部のうち上方側が切り欠かれており、中心軸に直交する断面で見ると、直径よりも小さい幅で開口している。左右の便座ヒンジ部２２における各ヒンジ軸受２２ｂは互いに中心軸が同軸となるように設けられている。凹所２２ｃは、ケーシング２の前側の端面２ｂとヒンジ軸受２２ｂとの間に、ケーシング２の上面から下方に穿たれるようにして形成されている。凹所２２ｃは、左右方向の外側が壁体状の支持部２２ａによって閉ざされており、内側に貫通している。
【００２０】
図５は、便蓋４の下方から見た斜視図である。便蓋４は、便座５および便器本体１の便鉢部１１を覆う平板状の天板４ａ、並びに便座５の前方および左右の側方を覆う側板４ｂを備える。天板４ａは、便鉢部１１を覆うべく、前部側が半円状および後部側が矩形状をなし、後端辺４ｃが左右方向に延びる直線状としてある。左右の側板４ｂそれぞれの後端部４０には、アーム部４１が設けられている。尚、後端部４０では、側板４ｂの他の部分よりも厚みを増すなどして剛性を高めてある。
【００２１】
アーム部４１は、左右方向を厚み方向とする板状であり、中途部で屈曲または湾曲した形状としてあり、側板４ｂの後端部４０から後方に延び、更に上方へ屈曲または湾曲している。アーム部４１の先端部４１ａには、左右に貫通する軸通孔４１ｂが設けられている。左右のアーム部４１に設けられた軸通孔４１ｂは、中心軸が互いに同軸である。軸通孔４１ｂには、便蓋ヒンジ部２１のヒンジ軸２１ｂが挿通される。
【００２２】
図６は、図４に示すＡ−Ａ線による便蓋４およびケーシング２の断面図である。図６においてケーシング２の内部に配設された機能部品の表示は省略されている。上述のように、アーム部４１の軸通孔４１ｂにはヒンジ軸２１ｂが挿通されており、便蓋４は、便蓋ヒンジ部２１によって、ヒンジ軸２１ｂの軸まわりに回動可能に支持されている。アーム部４１の先端部４１ａは、ヒンジ軸２１ｂに対して、ヒンジ軸２１ｂの半径方向であって、便器装置１００の後方かつ下方に延びている。アーム部４１は、中途部で屈曲または湾曲して前方へ延び、ヒンジ軸２１ｂより前側で、便蓋４の側板４ｂの後端部４０に接続されている。アーム部４１は、凹所２１ａ内の空間に配置されており、便蓋４が開閉する際に周囲の部品に機械的に干渉することはない。
【００２３】
便蓋４は、便蓋ヒンジ部２１へ着脱可能となっている。便蓋４は、アーム部４１を凹所２１ａの前側から挿入し、ヒンジ軸２１ｂと軸通孔４１ｂとが嵌合するようにして、ケーシング２側へ装着される。また便蓋４は、ヒンジ軸２１ｂと軸通孔４１ｂとの嵌合が外れるように上方または前方等へ力を加えることによって、便蓋ヒンジ部２１から取り外すことができる。
【００２４】
カバー３の天板３ａは、前端辺３ｃが便蓋４の天板４ａの後端辺４ｃに僅かな隙間を空けて突き合わされており、上面が便蓋４の天板４ａと面一としてある。また、天板３ａの前端辺３ｃおよび天板４ａの後端辺４ｃは、ともに平面視において直線状となっている。カバー３の天板３ａは、便蓋ヒンジ部２１の上方を覆っており、埃や水等が便蓋ヒンジ部２１に侵入し、堆積することを抑制する。
【００２５】
図１を参照し、カバー３の側板３ｂの前端辺は、便蓋４の側板４ｂの後端辺に僅かな隙間を空けて突き合わされており、側板３ｂおよび側板４ｂの外面は面一としてある。またカバー３の側板３ｂの前端辺は、便蓋４の側板４ｂの後端辺と高さ方向の長さ寸法が同一であり、カバー３および便蓋４について視覚的な一体感を与えている。
【００２６】
図７は、便座５の外観を示す斜視図である。便座５は、座部５ａ、基端部５ｂおよびヒンジ軸５２ｂを有し、ケーシング２側の便座ヒンジ部２２によって回動可能に支持されている。座部５ａは、便鉢部１１における受け面１１ａの上部開口に対応する孔を有する円環板状に形成されており、底面がリム部１１ｂに接触する。基端部５ｂは、左右方向の中央部において下方に膨らみを持たせて内部に機能部品を収容する空間を形成した収容部５１（図２参照）を有する。
【００２７】
収容部５１は、例えば局部洗浄装置等を収容する。局部洗浄装置は、座部５ａの中央方向へ前進し、収容部５１の内部へ後退するノズルを有する。収容部５１には、ノズルを前進および後退させる駆動機構が収容されるようにする。
【００２８】
便座５の基端部５ｂの左右両側には、基端部５ｂの上部から垂下し、左右方向を板面の法線方向とする支持板５２ａが設けられている。ヒンジ軸５２ｂは、左右両側の支持板５２ａの板面から突起し、左右の外方向へ延びるように形成されている。ヒンジ軸５２ｂは、便座ヒンジ部２２のヒンジ軸受２２ｂに挿通される。
【００２９】
図８は、図４に示すＢ−Ｂ線による便座５およびケーシング２の断面図である。図８において便座５およびケーシング２の内部に配設された機能部品の表示は省略されている。上述のように、便座５のヒンジ軸５２ｂが便座ヒンジ部２２のヒンジ軸受２２ｂに挿通されており、便座５は、便座ヒンジ部２２によって、ヒンジ軸５２ｂの軸まわりに回動可能に支持されている。便座５の基端部５ｂにおける後端辺５ｃは、ヒンジ軸５２ｂの上方を覆っており、便座５の回動によって、凹所２２ｃによる空間を通過し、機械的に干渉することはない。
【００３０】
便座５の後端辺５ｃは、カバー３の天板３ａの前端辺３ｃに僅かな隙間を空けて突き合わされている。また、便座５の後端辺５ｃ、およびカバー３の天板３ａの前端辺３ｃは、ともに平面視において直線状となっている。カバー３の天板３ａは、便座ヒンジ部２２における凹所２２ｃの上方を覆っており、埃や水等が便座ヒンジ部２２に侵入し、堆積することを抑制する。
【００３１】
便座５は、便座ヒンジ部２２へ着脱可能となっている。便座５は、上述のようにヒンジ軸受２２ｂの上方側が切り欠かれているので、ヒンジ軸５２ｂを上方からヒンジ軸受２２ｂの切り欠きに押し込んで嵌合させることによって、ケーシング２側へ装着される。また便座５は、ヒンジ軸５２ｂとヒンジ軸受２２ｂとの嵌合が外れるように上方等へ力を加えることによって、便座ヒンジ部２２から取り外すことができる。
【００３２】
次に回動ユニット９を有する便器装置１００における便蓋４および便座５等の作用について説明する。図９（ａ）および図９（ｂ）は、便蓋４の開閉状態について説明するための模式図である。図９（ａ）に示す便蓋４は閉状態であり、図９（ｂ）に示す便蓋４は開状態であり、いずれも図４に示すＡ−Ａ線による便蓋４およびケーシング２の断面に相当する。
【００３３】
便蓋４は、図９（ａ）に示すように便器本体１の便鉢部１１および便座５の上に被せられて閉状態となっている。便蓋４における天板４ａの後端辺４ｃと、カバー３における天板３ａの前端辺３ｃは直線状であり、互いに僅かな隙間を空けて対抗し、突き合わされている。カバー３の天板３ａは便蓋ヒンジ部２１の上方を覆っている。これにより、回動ユニット９における便蓋ヒンジ部２１は、上方から埃や水等が侵入し、堆積することが抑制される。
【００３４】
また便蓋ヒンジ部２１の側方は、カバー３の側板３ｂによって覆われており、側方から埃や水等が侵入し、堆積することが抑制される。図４に示すように、凹所２１ａの左右方向の外側には側壁部２１ｃが存在するが、側壁部２１ｃは切除されていてもよく、この場合であっても、カバー３の側板３ｂによって便蓋ヒンジ部２１の側方が覆われることで、埃や水等が侵入し、堆積することが抑制される。
【００３５】
一方、便蓋ヒンジ部２１の前方等における隙間から埃や水等が侵入することもあるが、カバー３がケーシング２に着脱可能であるので、カバー３をケーシング２から取り外すことによって、便蓋ヒンジ部２１を上方から清掃することが可能である。また、便蓋４を便蓋ヒンジ部２１から取り外すことによって、便蓋ヒンジ部２１およびアーム部４１等における清掃が容易に行える。
【００３６】
便蓋４およびカバー３の突き合わせ部分は、上面および左右両側面において直線状となっており、視覚的な一体感を与えるとともに、上面および左右両側面の清掃が容易に行える。便蓋４およびカバー３の突き合わせ部分に屈曲した部分などがあると、布等の清掃具で、便蓋４およびカバー３の上面および左右両側面の汚れを拭き取る際に屈曲した部分に汚れが付着する蓋然性があるが、直線状であれば、そのような蓋然性は抑制される。
【００３７】
便蓋４は、便蓋ヒンジ部２１にアーム部４１によって連結されていることにより、例えばカバー３に機械的に干渉することなく開閉することができる。図９（ｂ）に示すように、便蓋４を上方へ回動させて開状態としたとき、便蓋４は、上部がヒンジ軸２１ｂの直上からやや後方側へ移動した位置で静止し、全体として後方側へ倒れるように傾斜した状態となる。上述のように、アーム部４１の先端部４１ａがヒンジ軸２１ｂに対して便器装置１００の後方かつ下方に延びているため、便蓋４は、上部がヒンジ軸２１ｂの直上からやや後方側へ移動した位置まで回動させることができる。またアーム部４１自体も、中途部で屈曲または湾曲していることによって、カバー３に機械的に干渉しないようにすることができる。尚、便蓋４が開状態となっても、便蓋ヒンジ部２１は、上方および側方がカバー３の天板３ａおよび側板３ｂによって覆われているので、埃や水等が侵入し、堆積することが抑制される。
【００３８】
図１０（ａ）および図１０（ｂ）は、便座５の開閉状態について説明するための模式図である。図１０（ａ）に示す便座５は閉状態であり、図１０（ｂ）に示す便座５は開状態であり、いずれも図４に示すＢ−Ｂ線による便座５およびケーシング２の断面に相当する。
【００３９】
便座５は、図１０（ａ）に示すように便器本体１のリム部１１ｂ上に接触して閉状態となっている。便座５における基端部５ｂの後端辺５ｃと、カバー３における天板３ａの前端辺３ｃとは、僅かな隙間を空けて突き合わされている。便座５の基端部５ｂにおける後端辺５ｃはヒンジ軸５２ｂの上方を覆っており、カバー３の天板３ａは便座ヒンジ部２２における凹所２２ｃの上方を覆っている。これにより、回動ユニット９におけるヒンジ軸５２ｂ、並びに便座ヒンジ部２２におけるヒンジ軸受２２ｂおよび凹所２２ｃに上方から埃や水等が侵入し、堆積することが抑制される。
【００４０】
また、便座ヒンジ部２２の凹所２２ｃは、左右方向の外側が壁体状の支持部２２ａによって閉ざされており、側方から埃や水等が侵入し、堆積することが抑制される。
【００４１】
一方、便座ヒンジ部２２の前方等における隙間から埃や水等が侵入することもあるが、カバー３がケーシング２に着脱可能であるので、カバー３をケーシング２から取り外すことによって、便座ヒンジ部２２における凹所２２ｃ等を上方から清掃することが可能である。また、便蓋４を開状態または取り外すことによって、便座ヒンジ部２２における清掃が容易になる。また便座５を便座ヒンジ部２２から取り外すことによって、便座ヒンジ部２２およびヒンジ軸５２ｂ等における清掃が更に容易に行える。
【００４２】
便座５の後端辺４ｃおよびカバー３の前端辺３ｃの突き合わせ部分は、平面視において直線状となっており、視覚的な一体感を与えるとともに、上面の清掃が容易に行える。便座５の後端辺４ｃおよびカバー３の前端辺３ｃに屈曲した部分などがあると、布等の清掃具で、便座５およびカバー３の上面の汚れを拭き取る際に、屈曲した部分に汚れが付着する蓋然性があるが、直線状であれば、そのような蓋然性は抑制される。
【００４３】
図１０（ｂ）に示すように、便座５を上方へ回動させて開状態としたとき、便座５は、開状態となっている便蓋４に接触し、上部がヒンジ軸５２ｂの直上からやや後方側へ移動した位置で静止し、全体として後方側へ倒れるように傾斜した状態となる。尚、便座５が開状態となっても、便座５の基端部５ｂにおける後端辺５ｃはヒンジ軸５２ｂの上方を覆っており、カバー３の天板３ａは便座ヒンジ部２２における凹所２２ｃの上方を覆っている。また、便座ヒンジ部２２の凹所２２ｃは、左右方向の外側が壁体状の支持部２２ａによって閉ざされている。このため、便座ヒンジ部２２は、埃や水等が侵入し、堆積することが抑制されている。
【００４４】
次に、実施形態に係る便器装置１００の特徴を説明する。
本発明の実施形態の回動ユニット９は、便器装置１００の前部に設けられた便鉢部１１の上方を覆い、後部に配設された便蓋ヒンジ部２１および便座ヒンジ部２２（ヒンジ部）によって回動可能に支持される便蓋４および便座５（可動体）を備える。回動ユニット９は、可動体である便蓋４および便座５の後方に、ヒンジ部である便蓋ヒンジ部２１および便座ヒンジ部２２の上方を覆うカバー３が設けられている。これにより、回動ユニット９は、便蓋ヒンジ部２１および便座ヒンジ部２２において、上方から埃や水等が侵入して堆積することが抑制される。
【００４５】
またカバー３は、便蓋ヒンジ部２１の側方を覆っている。これにより、回動ユニット９は、便蓋ヒンジ部２１において、側方から埃や水等が侵入し、堆積することが抑制される。
【００４６】
またカバー３は、ケーシング２に対して着脱可能に設けられている。これにより、回動ユニット９は、カバー３をケーシング２から取り外すことによって、便蓋ヒンジ部２１を上方から清掃することが可能である。
【００４７】
また可動体である便蓋４は、便蓋ヒンジ部２１に連結されるアーム部４１を有する。便蓋４は、便蓋ヒンジ部２１にアーム部４１によって連結されていることにより、例えばカバー３に機械的に干渉することなく開閉することができる。
【００４８】
またアーム部４１は、中途部において屈曲または湾曲している。これにより、回動ユニット９は、便蓋ヒンジ部２１を覆うように設けられたカバー３とアーム部４１とが機械的に干渉しないようにすることができる。
【００４９】
また可動体である便蓋４および便座５は、便蓋ヒンジ部２１および便座ヒンジ部２２において着脱可能としてある。これにより、回動ユニット９は、便蓋４および便座５を取り外して、便蓋ヒンジ部２１および便座ヒンジ部２２等の清掃が容易に行える。
【００５０】
便器装置１００は、上述の回動ユニット９と、便鉢部１１が前部に設けられた便器本体１とを備える。これにより、便器装置１００は、便蓋ヒンジ部２１および便座ヒンジ部２２において、上方から埃や水等が侵入して堆積することが抑制される。
【００５１】
上述の実施形態では便器装置１００に便蓋４および便座５を設けているが、便蓋４がなく便座５のみを設ける構成としてもよい。上述の実施形態においては、便蓋４がアーム部４１を有するように構成しているが、便座５の後部に後方へ延びるアーム部を設け、便座ヒンジ部２２の上方をヒンジ軸部分も含めてカバー３で覆うようにすることも可能である。また、上述の実施形態では可動体として便蓋４および便座５の例を示したが、便鉢部１１の上方を覆い、ヒンジ部によって回動可能に支持される他の可動体にも適用することが可能である。
【００５２】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５３】
１１  便鉢部、  ２１  便蓋ヒンジ部（ヒンジ部）、
２２  便座ヒンジ部（ヒンジ部）、  ３  カバー、  ４  便蓋（可動体）、
４１  アーム部、  ５  便座（可動体）、  ９  回動ユニット、  １００  便器装置。
【図１】
2019177002.tif 000003
【図２】
2019177002.tif 000004
【図３】
2019177002.tif 000005
【図４】
2019177002.tif 000006
【図５】
2019177002.tif 000007
【図６】
2019177002.tif 000008
【図７】
2019177002.tif 000009
【図８】
2019177002.tif 000010
【図９】
2019177002.tif 000011
【図１０】
2019177002.tif 000012